(57)【特許請求の範囲】
【請求項１】
内部に粉粒状物を収容する容器本体と該容器本体の上端開口を塞ぐ蓋体を設け、上端開口を振出口となし下端が容器本体の底部近くまで延びる中空パイプを前記容器本体の側壁に固着して設け、該中空パイプの下端開口部に底蓋を嵌合し、前記中空パイプの側壁下部かつ前記容器本体の側壁下部に取入口を形成し、前記中空パイプ内に前記取入口近傍から軸方向上方に延びる断面逆Ｌ字状の規制壁を設けて前記取入口側の規制室と排出路とを形成し、前記取入口と前記排出路とは前記規制壁の下端と前記底蓋の底部との間に形成された収容室を介して連通させてなることを特徴とする粉粒状物の定量振出容器。
【請求項２】
中空パイプの外壁に該中空パイプを振動させる振動子を設けてなる請求項１に記載の粉粒状物の定量振出容器。
【請求項３】
中空パイプの上端開口部にこれを塞ぐ着脱自在のキャップを備えてなる請求項１又は２に記載の粉粒状物の定量振出容器。
【発明の詳細な説明】
【技術分野】
【０００１】
本発明は、粉状物や粒状物を定量づつ振り出すことができる粉粒状物の定量振出容器に関する。
【背景技術】
【０００２】
粉状物や粒状物の定量振出容器としては、容器の蓋を上下に貫通してパイプを設け、下端部の取入口から容器内に収容した粉粒状物をパイプ内に取り入れ、容器を反転することにより、パイプの上端の振出口から振り出すようにした、粉末定量振出容器が知られている（特許文献１）。
【０００３】
しかしながら、かかる粉末定量振出容器では、パイプ下端部の取入口が容器の底部に臨む構造となっているため、容器内に粉末を満タン乃至満タン近くまで充填した場合には、容器を反転して内容物を振り出そうとすると、狭い取入口に多量の粉末が殺到して詰まってしまい、粉末を定量振り出すことができない。いわば、漏斗に一度に多量の粉末を投入した場合に出口が詰まってしまう現象と同じ状態となる。
【０００４】
これを解決するために、本発明者は、容器内に粉粒状物を満タン乃至満タン近くまで充填した場合でも、パイプが詰まることなく定量を振出すことができる、粉粒状物の定量振出容器を開発している（特願２００６−３３３４７６）。
【０００５】
この粉粒状物の定量振出容器は、内部に粉粒状物を収容する容器本体と該容器本体の上端開口を塞ぐ蓋体を設け、該蓋体を上下に貫通して上端開口を振出口となし下端が容器本体の底部近くまで延びる中空パイプを設け、該中空パイプの下端開口部に上下動可能に有底調節筒を嵌合し、前記中空パイプの下部の側壁を切欠いて取入口を形成し、前記中空パイプ内に前記取入口近傍から軸方向上方に延びて上端が前記取入口側に閉じ下端が前記取入口の下端より若干下方まで延びる規制壁を設けて前記取入口側の規制室と排出路とを形成し、前記取入口と前記排出路とは前記規制壁の下端と前記有底調節筒の底部との間に形成された収容室を介して連通させてなるものである。
【０００６】
この定量振出容器によれば、中空パイプの下端部に収容室が形成されているので、容器内に満タン乃至満タン近くまで粉粒状物を充填した状態で容器を反転させた場合、取入口に粉粒状物が殺到しても収容室に収容された粉粒状物には圧力が加わらないため、排出路が詰まることなく、排出路を流下して振出口から粉粒状物を振り出すことができる。
【０００７】
しかしながら、中空パイプの取入口が容器本体内の中央部にあるため、容器内に収容した粉粒状物が少なくなってきた場合には、取入口から粉粒状物を中空パイプ内に取り入れることが困難となる。
【特許文献１】特開２００２−２６４９７５号公報
【発明の開示】
【発明が解決しようとする課題】
【０００８】
そこで、本発明の目的は、容器内に粉粒状物を満タン乃至満タン近くまで充填した場合でもパイプが詰まることなく定量を振出すことができ、また容器内に収容した粉粒状物の量が少なくなった場合でも定量を振出すことができる、粉粒状物の定量振出容器を提供することにある。
【課題を解決するための手段】
【０００９】
上記課題を解決するために、本発明による粉粒状物の定量振出容器は、内部に粉粒状物を収容する容器本体と該容器本体の上端開口を塞ぐ蓋体を設け、上端開口を振出口となし下端が容器本体の底部近くまで延びる中空パイプを前記容器本体の側壁に固着して設け、該中空パイプの下端開口部に底蓋を嵌合し、前記中空パイプの側壁下部かつ前記容器本体の側壁下部に取入口を形成し、前記中空パイプ内に前記取入口近傍から軸方向上方に延びる断面逆Ｌ字状の規制壁を設けて前記取入口側の規制室と排出路とを形成し、前記取入口と前記排出路とは前記規制壁の下端と前記底蓋の底部との間に形成された収容室を介して連通させてなること、を特徴としている。
ここで、中空パイプの外壁に該中空パイプを振動させる振動子を設けるとよい。
また、中空パイプの上端開口部にこれを塞ぐ着脱自在のキャップを備えてなるものとするとよい。
【発明の効果】
【００１０】
本発明による粉粒状物の定量振出容器によれば、中空パイプの下端部に収容室が形成されているので、容器内に満タン乃至満タン近くまで粉粒状物を充填した状態で容器を反転させた場合、取入口に粉粒状物が殺到しても収容室に収容された粉粒状物には圧力が加わらないため、排出路が詰まることなく、排出路を流下して振出口から粉粒状物を振り出すことができる。また、中空パイプの側壁下部であってかつ容器本体の側壁下部を切欠いて取入口を形成したので、容器本体内に収容した粉粒状物の量が少なくなった場合でも、容器本体を傾斜させることにより、取入口から中空パイプ内に粉粒状物を取り入れることができる。このため、容器本体内に収容した粉粒状物の量が少なくなった場合でも定量を振り出すことができる。
また、中空パイプの外壁に該中空パイプを振動させる振動子を設けておけば、該振動子を動作して中空パイプを振動させ、排出路の壁面に付着した粉粒状物を落下させて、排出路から排出させ易くすることができる。
また、振出口にキャップを着脱自在に備えておけば、不使用時に、内部の湿気を防いだり、埃の進入を防止することができる。
【発明を実施するための最良の形態】
【００１１】
以下、本発明を実施するための最良の形態を図面に基づいて具体的に説明する。図１は本発明の実施例による粉粒状物の定量振出容器の縦断面図、図２は図１のＩＩ−ＩＩ断面図、図３は粉粒状物を略満タン収容した状態の図１相当の縦断面図、図４は略１００°傾けた状態の説明用縦断面図、図５は略１５０°傾斜させた状態の説明用縦断面図、図６は粉粒状物を少量収容した状態の図１相当の縦断面図、図７は略１００°傾けた状態の説明用縦断面図、図８は略１５０°傾斜させた状態の説明用縦断面図、図９は他の実施例による粉粒状物の定量振出容器の縦断面図、図１０はさらに他の実施例による粉粒状物の定量振出容器の縦断面図である。
【００１２】
本発明の実施例による粉粒状物の定量振出容器１は、内部に粉末茶などの粉粒状物を収容する容器本体２と、この容器本体２の上端開口２ａを塞ぐ蓋体３と、容器本体２の側壁２ｂに固着して設けた中空パイプ４からなる。
【００１３】
容器本体２の上端開口２ａから容器本体２内に粉粒状物を収容し、容器本体２の上端に蓋体３を嵌合する。なお、蓋体３を容器本体２の上端にネジ嵌合により着脱可能に取り付けるようにしてもよい。
中空パイプ４は、容器本体２の高さより若干長く形成され、容器本体２の側壁（外壁）２ｂに固着して設けられ、その上端は振出口５となっている。一方、中空パイプ４の下端部には、底蓋６を嵌合して収容室７を形成してある。
【００１４】
容器本体２の底部より若干上方で中空パイプ４の側壁４ａ下部かつ容器本体２の側壁２ｂ下部には、容器本体２内に収容した粉粒状物を中空パイプ４内に取り込むための取入口８を形成してある。そして、中空パイプ４内には、取入口８近傍から軸方向上方に延びる仕切壁（規制壁）９を設けてあり、その上端は振出口５まで延び、仕切壁９の中途から屈曲片９ａを設けて取入口８側に閉じ、断面逆Ｌ字状の規制壁によって取入口８側の上方に規制室１０を形成し、一方、規制壁９の反対側に排出路１１を形成する。規制壁９の下端９ｂは取入口８の下端８ａより若干下方まで延びて形成してある。
規制壁９の下端９ｂと底蓋６の底部との間が粉粒状物を収容する収容室７となっており、この収容室７を介して取入口８と排出路１１とは連通している。
なお、容器本体２の下部には段部１２が形成されている。
【００１５】
次に、かかる構成からなる定量振出容器１の使用方法を説明する。
先ず、容器本体２内に満タン近くまで粉粒状物１３を収容して、定量振出容器１を立てた状態では、図３に示すように、取入口８から中空パイプ４内の収容室７に粉粒状物１３が収容される。
次いで、定量振出容器１を傾けて、図４に示すように約１００°傾けた状態では、取入口８から取り入れられた粉粒状物１３は規制室１０には流入するが、規制壁９の下端９ｂが障害となって収容室７には流入しない。
さらに傾斜させると、図５に示すように、収容室７に収容されていた粉粒状物１３が排出路１１を落下して振出口５から定量振出容器１外に振り出される。このとき、規制壁９の下端９ｂ（図５では上端）が取入口８の下端８ａ（図５では上端）より若干下方（図５では上方）まで延びて形成されているので、取入口８から粉粒状物１３が中空パイプ４内に流入しても、規制壁９の下端９ｂが障害となって収容室７に粉粒状物１３が流入することがなく、排出路１１の始端部１１ａに中空パイプ４内に新たに流入した粉粒状物１３による圧力が加わることがない。このため、定量振出容器１内に満タン又は満タン近くまで粉粒状物１３を充填した状態であっても、中空パイプ４が詰まることなく、定量を振り出すことができる。
【００１６】
このようにして、定量を振り出した後、元に戻す（立てた状態にする）と、規制室１０に収容されていた粉粒状物１３が落下して収容室７に収容され、図３に示した状態となる。従って、上記の操作を繰り返せば、連続して定量を振り出すことができる。
【００１７】
また、容器本体２内に収容された粉粒状物１３が少量となった場合、定量振出容器１を一旦中空パイプ側に傾斜させた後立てた状態では、図６に示すように、取入口８から中空パイプ４内の収容室７に粉粒状物１３が収容される。
次いで、定量振出容器１を傾けて、図７に示すように約１００°傾けた状態では、取入口８から取り入れられた粉粒状物１３は規制室１０には流入するが、規制壁９の下端９ｂが障害となって収容室７には流入しない。
さらに傾斜させると、図８に示すように、収容室７に収容されていた粉粒状物１３が排出路１１を落下して振出口５から定量振出容器１外に振り出される。
【００１８】
このようにして、定量を振り出した後、元に戻す（立てた状態にする）と、規制室１０に収容されていた粉粒状物１３が落下して収容室７に収容され、図６に示した状態となる。従って、上記の操作を繰り返せば、連続して定量を振り出すことができる。
容器本体２内に収容された粉粒状物１３が少量となった場合でも、取入口８が容器本体２の側壁下部に形成されているため、容器本体２をパイプ４側に傾斜させることにより、取入口８から粉粒状物１３をパイプ４内に容易に取り込むことができる。従って、上記のように、容器本体２内に収容された粉粒状物１３が少量となった場合でも、定量を振り出すことができる。
【００１９】
図９は他の実施例を示し、中空パイプ４の外壁には、断面逆Ｌ字状の振動子１４をその上端の基部を中空パイプ４の外壁に固着して設けてある。振動子１４の下端部には肉厚の衝突子１５を設けてあり、その衝突子１５の外端には係止爪１６を設けてある。この係止爪１６を外方（側方）に引っ張って放すと、衝突子１５が中空パイプ４の外壁に衝突し、その衝撃で中空パイプ４が振動し、排出路１１の壁面に付着した粉粒状物は壁面から落下し、排出路１１から排出される。定量振出容器１内に収容する粉粒状物１３が微粉末状のものである場合には、中空パイプ４の壁面により付着し易いので特に有効である。
【００２０】
図９に示すように、収容室７に肉厚の調節リング（スペーサ）１７を配置して収容室７の容量を調節するようにしてもよい。又は、図１０に示すように、中空パイプ４下端部の外周面、底蓋６の側壁内周面ともに円滑面として、中空パイプ４下端部に底蓋６を上下摺動可能に嵌合させるようにして、収容室７の容量を調節可能としてもよい。このように、収容室７の容量を調節可能とすれば、収容室７に収容される粉粒状物の量、従って、一回に振り出される粉粒状物の量を調節することができる。
なお、底蓋６は中空パイプ４の下端部に着脱可能に嵌合されているので、パイプ４内が汚れた場合には底蓋６を取り外してパイプ４内を清掃することができる。
【００２１】
また、図９に示すように、中空パイプ４の上端開口部（振出口５）にこれを塞ぐ着脱自在のキャップ１８を備えるようにするとよい。不使用時に、排出路１１を通じての内部の湿気を防いだり、埃の進入を防止することができる。
【図面の簡単な説明】
【００２２】
【図１】本発明の実施例による粉粒状物の定量振出容器の縦断面図。
【図２】図１のＩＩ−ＩＩ断面図。
【図３】粉粒状物を略満タン収容した状態の図１相当の縦断面図。
【図４】略１００°傾けた状態の説明用縦断面図。
【図５】略１５０°傾斜させた状態の説明用縦断面図。
【図６】粉粒状物を少量収容した状態の図１相当の縦断面図。
【図７】略１００°傾けた状態の説明用縦断面図。
【図８】略１５０°傾斜させた状態の説明用縦断面図。
【図９】他の実施例による粉粒状物の定量振出容器の縦断面図。
【図１０】さらに他の実施例による粉粒状物の定量振出容器の縦断面図。
【符号の説明】
【００２３】
１  定量振出容器
２  容器本体
２ａ  上端開口
２ｂ  側壁
３  蓋体
４  中空パイプ
５  振出口
６  底蓋
７  収容室
８  取入口
８ａ  下端
９  規制壁（仕切壁）
９ａ  屈曲片
９ｂ  下端
１０  規制室
１１  排出路
１１ａ  始端部
１２  段部
１３  粉粒状物
１４  振動子
１５  衝突子
１６  係止爪
１７  調節リング（スペーサ）
１８  キャップ
【図１】
0004927030.tif 000002
【図２】
0004927030.tif 000003
【図３】
0004927030.tif 000004
【図４】
0004927030.tif 000005
【図５】
0004927030.tif 000006
【図６】
0004927030.tif 000007
【図７】
0004927030.tif 000008
【図８】
0004927030.tif 000009
【図９】
0004927030.tif 000010
【図１０】
0004927030.tif 000011